(57)【要約】【課題】本発明は、ユーザの操作によってズーム倍率や表示位置の設定を行うことなく、撮像者の視野角・撮像時の画角に合わせた画像を表示装置に表示させることができる画像表示装置および画像表示方法を提供することを課題とする。【解決手段】画面情報取得部は、ＨＤＭＩケーブルを介して表示装置から画面サイズ（Ｗ、Ｈ）を取得し、画像サイズ算出部は、取得した画面サイズＨに基づいて最適視聴距離ＷＬを算出すると共に、表示装置に表示させた際に撮像時と同一の視野となる画像サイズ（ＣＰｘ、ＣＰｙ）を算出し、算出した画像サイズ（ＣＰｘ、ＣＰｙ）に基づいて撮像画像を切り出して表示装置に出力する。【選択図】        図２
2009103908.tif 000002
【特許請求の範囲】
【請求項１】
接続された表示装置に記憶している撮像画像を表示させる画像表示装置であって、
前記表示装置から画面サイズを取得する画面サイズ取得手段と、
該画面サイズ取得手段によって取得された前記画面サイズに基づいて最適視聴距離を算出すると共に、前記表示装置に表示させた際に撮像時と同一の視野となる画像サイズを算出する画像サイズ算出手段と、
該画像サイズ算出手段によって算出された前記画像サイズに基づいて、前記撮像画像を切り出して前記表示装置に出力する画像出力手段とを具備することを特徴とする画像表示装置。
【請求項２】
前記画像サイズ算出手段は、前記画面サイズにおける縦方向画面サイズと、前記表示装置がフルハイビジョンであるか否かの判断とに基づいて、最適視聴距離を算出すると共に、
レンズ焦点距離の３５ｍｍカメラ換算値に基づいて、前記撮像時の水平画角を算出し、
前記最適視聴距離と、前記撮像時の水平画角とに基づいて、前記最適視聴距離分、離れた位置における前記撮像画像の横方向サイズを算出し、
前記画面サイズにおける横方向画面サイズと、前記横方向サイズとに基づいて、画像切り出し比率を算出し、
前記撮像画像のピクセル数と、前記画像切り出し比率とに基づいて、前記画像サイズを算出し、
前記表示装置の前記画面サイズと、前記画像サイズとに基づいて切り出し開始位置とを算出し、
前記画像出力手段は、前記画像サイズ算出手段によって算出された前記画像サイズと前記切り出し開始位置とに基づいて、前記撮像画像を切り出して前記表示装置に出力することを特徴とする請求項１記載の画像表示装置。
【請求項３】
接続された表示装置に記憶している撮像画像を表示させる画像表示装置における画像表示方法であって、
前記表示装置から画面サイズを取得し、
該取得した前記画面サイズに基づいて最適視聴距離を算出し、
前記表示装置に表示させた際に撮像時と同一の視野となる画像サイズを算出し、
該算出した前記画像サイズに基づいて、前記撮像画像を切り出して前記表示装置に出力することを特徴とする画像表示方法。
【発明の詳細な説明】
【技術分野】
【０００１】
本発明は、記憶している撮像画像をテレビやディスプレイ等の表示装置に表示させるデジタルカメラ等の画像表示装置および画像表示方法に関する。
【背景技術】
【０００２】
従来、デジタルカメラには、撮像して記憶している撮像画像の確認や鑑賞を目的とし、接続したテレビ等の表示装置に、記憶している撮像画像を表示させることができるようになっている。記憶している撮像画像を表示装置に全画面表示させるに際し、記憶している撮像画像と、表示装置の画面サイズとが異なっているため、記憶している撮像画像を表示装置の画面サイズを合わせるように拡大縮小を行っており、一般的なデジタルカメラでは、ユーザ自身が表示装置に表示されている画像を確認しながらズーム倍率や表示位置を変えている（例えば、特許文献１参照）。
【０００３】
しかしながら、従来技術では、ユーザの操作によってズーム倍率や表示位置を設定することで、記憶している撮像画像と表示装置の画面サイズとを合わせることができたとしても、表示装置には、撮像時の視野とは、異なる画像が表示されてしまうという問題点があった。
【特許文献１】特開平４−１１４５５９号公報
【発明の開示】
【発明が解決しようとする課題】
【０００４】
本発明は斯かる問題点に鑑みてなされたものであり、その目的とするところは、ユーザの操作によってズーム倍率や表示位置の設定を行うことなく、撮像時の視野に合わせた画像を表示装置に表示させることができる画像表示装置および画像表示方法を提供する点にある。
【課題を解決するための手段】
【０００５】
本発明は上記課題を解決すべく、以下に掲げる構成とした。
本発明の画像表示装置は、接続された表示装置に記憶している撮像画像を表示させる画像表示装置であって、前記表示装置から画面サイズを取得する画面サイズ取得手段と、該画面サイズ取得手段によって取得された前記画面サイズに基づいて最適視聴距離を算出すると共に、前記表示装置に表示させた際に撮像時と同一の視野となる画像サイズを算出する画像サイズ算出手段と、該画像サイズ算出手段によって算出された前記画像サイズに基づいて、前記撮像画像を切り出して前記表示装置に出力する画像出力手段とを具備することを特徴とする。
【０００６】
さらに、本発明の画像表示装置は、前記画像サイズ算出手段は、前記画面サイズにおける縦方向画面サイズと、前記表示装置がフルハイビジョンであるか否かの判断とに基づいて、最適視聴距離を算出すると共に、レンズ焦点距離の３５ｍｍカメラ換算値に基づいて、前記撮像時の水平画角を算出し、前記最適視聴距離と、前記撮像時の水平画角とに基づいて、前記最適視聴距離、離れた位置における前記撮像画像の横方向サイズを算出し、前記画面サイズにおける横方向画面サイズと、前記撮像画像の横方向サイズとに基づいて、画像切り出し比率を算出し、前記撮像画像のピクセル数と、前記画像切り出し比率とに基づいて、切り出す前記画像サイズを算出し、前記表示装置の前記画面サイズと、前記画像サイズとに基づいて切り出し開始位置とを算出し、前記画像出力手段は、前記画像サイズ算出手段によって算出された前記画像サイズと前記切り出し開始位置とに基づいて、前記撮像画像を切り出して前記表示装置に出力することを特徴とする。
【０００７】
また、本発明の画像表示方法は、接続された表示装置に記憶している撮像画像を表示させる画像表示装置における画像表示方法であって、前記表示装置から画面サイズを取得し、該取得した前記画面サイズに基づいて最適視聴距離を算出し、前記表示装置に表示させた際に撮像時と同一の視野となる画像サイズを算出し、該算出した前記画像サイズに基づいて、前記撮像画像を切り出して前記表示装置に出力することを特徴とする。
【発明の効果】
【０００８】
本発明の画像表示装置および画像表示方法は、表示装置から画面サイズを取得し、取得した画面サイズに基づいて最適視聴距離を算出すると共に、表示装置に表示させた際に撮像時と同一の視野となる画像サイズを算出し、算出した画像サイズに基づいて撮像画像を切り出して表示装置に出力するように構成することにより、最適視聴距離から見ると、撮像時と同一の視野となる画像が表示装置に表示されることになり、ユーザの操作によってズーム倍率や表示位置の設定を行うことなく、最適視聴距離から表示装置に表示された画像を見た場合に、撮像時の視野に合わせた画像を表示させることができるという効果を奏する。
【０００９】
さらに、本発明の画像表示装置および画像表示方法は、画面サイズにおける縦方向画面サイズと、表示装置がフルハイビジョンであるか否かの判断とに基づいて、最適視聴距離を算出すると共に、レンズ焦点距離の３５ｍｍカメラ換算値に基づいて、撮像時の水平画角を算出し、最適視聴距離と、撮像時の水平画角とに基づいて、最適視聴距離、離れた位置における撮像画像の横方向サイズを算出し、画面サイズにおける横方向画面サイズと、撮像画像の横方向サイズとに基づいて、画像切り出し比率を算出し、撮像画像のピクセル数と、画像切り出し比率とに基づいて、画像サイズを算出し、表示装置の画面サイズと、画像サイズとに基づいて、切り出し開始位置を算出し、算出した画像サイズと切り出し開始位置とに基づいて、撮像画像を切り出して表示装置に出力するように構成することにより、最適視聴距離から見ると、撮像時と同一の視野となる画像を表示装置に表示させることができるという効果を奏する。
【発明を実施するための最良の形態】
【００１０】
以下、本発明の実施の形態を図面に基づいて詳細に説明する。
【００１１】
図１は、本発明に係る画像表示装置の実施の形態の構成を示すブロック図である。
【００１２】
本実施の形態の画像表示装置１は、撮像した画像をテレビ受像機等の表示装置２に表示させることができるデジタルカメラであり、図１を参照すると、画像表示装置１と、表示装置２とをＨＤＭＩ（High-Definition Multimedia Interface）ケーブル３で接続することにより、表示装置２の画面サイズに応じて、画像表示装置１に記憶されている撮像画像を撮像時と同じ視野で表示装置２に表示できるように構成されている。
【００１３】
画像表示装置１は、被写体を撮像する撮像手段等の撮像画像を取り込む画像取り込み部１１と、画像取り込み部１１によって取り込まれた撮像画像を記憶する半導体メモリやＨＤＤ等の記憶部１２と、画像取り込み部１１によって取り込まれた撮像画像を記憶部１２にＥｘｉｆ形式の画像ファイルとして記憶させる画像保存装置１３と、ＨＤＭＩケーブル３を介して表示装置２の画面サイズを所得する画面情報取得部１４と、記憶部１２に記憶された撮像画像のExifタグからレンズの焦点距離、撮像画像のＣＣＤ位置での水平方向の画素密度およびピクセル数を取得する画像情報取得部１５と、画面情報取得部１４によって取得された情報と画像情報取得部１５によって取得された情報とに基づいて撮像時と同じ視野で表示装置２に表示できる画像サイズを算出する画像サイズ算出部１６と、画像サイズ算出部１６によって算出された画像サイズを切り出し、ＨＤＭＩケーブル３を介して表示装置２に出力する画像出力部１７とを備えている。
【００１４】
次に、本実施の形態の切り出し動作について図２乃至図５を参照して詳細に説明する。
図２は、本発明に係る画像表示装置の実施の形態の動作を説明するためのフローチャートであり、図３は、図１に示す画像サイズ算出部で行われる撮像画像の水平画角算出動作を説明する説明図であり、図４は、図１に示す画像サイズ算出部で行われる撮像画像の切り出し動作を説明する説明図であり、図５は、図１に示す画像出力部１７による撮像画像の切り出し例を示す説明図である。
【００１５】
図示しない入力手段によって記憶部１２に記憶された撮像画像の表示が指示されると、画面情報取得部１４は、ＨＤＭＩのＥ−ＥＤＩＤを用い、表示装置２から画面サイズと画素情報とを取得する（ステップＡ１）。なお、画面サイズとしては、横方向の画面サイズ：Ｗ（ｃｍ）と、縦方向の画面サイズ：Ｈ（ｃｍ）とが表示装置２から取得される。
【００１６】
次に、画像サイズ算出部１６は、画面情報取得部１４によって取得された縦方向の画面サイズ：Ｈ（ｃｍ）に基づいて、視聴者と表示装置２までの最適な視聴距離：ＷＬを算出する（ステップＡ２）。具体的には、表示装置２が１９２０＊１０８０画素のフルハイビジョンである場合には、Ａ＝２、表示装置２がフルハイビジョンよりも画素数が少ない場合には、Ａ＝３とし、視聴距離：ＷＬ＝Ａ＊Ｈ（ｃｍ）が算出される。例えば、表示装置２が３７型で、フルハイビジョンよりも画素数が少なく、縦方向の画面サイズ：Ｈ＝４６．６（ｃｍ）の場合には、視聴距離として、ＷＬ＝３＊４６．６（ｃｍ）＝１４０（ｃｍ）が算出される。
【００１７】
次に、画像情報取得部１５は、記憶部１２に記憶された撮像画像のExifタグから、レンズ焦点距離の３５ｍｍカメラ換算値：ｆを取得し、画像サイズ算出部１６は、撮像画像の水平画角：θcを算出する（ステップＡ２）。図３に示すように、３５ｍｍ判の巾ＰＷは、ＰＷ＝３６ｍｍとなり、３５ｍｍカメラ換算値：ｆに基づいて、水平画角は、θc＝２＊ｔａｎ＾（−１）（３６／２ｆ）で算出することができ、３５ｍｍカメラ換算値がｆ＝３８ｍｍである場合には、水平画角：θc＝５０．７°となる。
【００１８】
次に、画像サイズ算出部１６は、ステップＡ２で算出した視聴距離：ＷＬと、ステップＡ３で算出した水平画角：θcとに基づいて、視聴距離：ＷＬ分離れた表示装置２の位置における撮像画像の横方向サイズ：Ｐｗを算出する（ステップＡ４）。横方向サイズは、Ｐｗ＝２＊ＷＬ＊ｔａｎ（θｃ／２）で求められ、ステップＡ２で算出した視聴距離がＷＬ＝１４０（ｃｍ）で、ステップＡ３で算出した水平画角がθc＝５０．７°である場合には、図４に示すように、横方向サイズ：Ｐｗ＝１３２．７ｃｍが算出されることになる。
【００１９】
次に、画像サイズ算出部１６は、ステップＡ１で取得された表示装置２の横方向の画面サイズ：Ｗと、ステップＡ４で算出した視聴距離：ＷＬ分離れた表示装置２の位置における撮像画像の横方向サイズ：Ｐｗとに基づいて、画像切り出し比率：ｅを算出する（ステップＡ５）。画像切り出し比率は、ｅ＝Ｗ／Ｐｗで求められ、ステップＡ１で取得された表示装置２の横方向の画面サイズがＷ＝８１．９ｃｍで、ステップＡ４で算出した視聴距離：ＷＬ分離れた表示装置２の位置における撮像画像の横方向サイズがＰｗ＝１３２．７ｃｍである場合には、図４に示すように、画像切り出し比率：ｅ＝０．６１７５が算出されることになる。
【００２０】
次に、画像情報取得部１５は、記憶部１２に記憶された撮像画像のExifタグから、撮像画像のピクセル数、すなわち横方向画素数：Ｐｘと、縦方向画素数：Ｐｙとを取得し（ステップＡ６）、画像サイズ算出部１６は、ステップＡ６で取得された横方向画素数：Ｐｘと、ステップＡ５で算出された画像切り出し比率：ｅとに基づいて、切り出す横方向の画像サイズ：ＣＰｘを算出する（ステップＡ７）。切り出す横方向の画像サイズは、ＣＰｘ＝ｅ＊Ｐｘで算出され、ステップＡ６で取得された横方向画素数がＰｘ＝３０７２で、ステップＡ５で算出した画像切り出し比率がｅ＝０．６１７５である場合には、切り出す横方向の画像サイズ：ＣＰｘ＝１８９６．９６が算出される。
【００２１】
次に、画像サイズ算出部１６は、ステップＡ７で算出した切り出す横方向の画像サイズ：ＣＰｘを扱いやすいように、１２８の倍数に近くなるように丸め処理を行う（ステップＡ８）。具体的には、画像サイズ：ＣＰｘを１２８で除算し、四捨五入したものを１２８倍する。ステップＡ７で算出した切り出す横方向の画像サイズがＣＰｘ＝１８９６．９６である場合には、ＣＰｘ＝１９２０に丸め処理される。
【００２２】
次に、画像サイズ算出部１６は、表示装置２の画面サイズと、ステップＡ８で丸め処理した切り出す横方向の画像サイズ：ＣＰｘとに基づいて、切り出す縦方向の画像サイズ：ＣＰｙを算出する（ステップＡ９）。切り出す縦方向の画像サイズ：ＣＰｙは、表示装置２の画面サイズにおける横縦比に基づいて算出され、表示装置２の画面サイズにおける横縦比が１６：９で、ステップＡ８で丸め処理した切り出す横方向の画像サイズがＣＰｘ＝１９２０である場合には、切り出す縦方向の画像サイズ：ＣＰｙ＝９＊ＣＰｘ／１６＝１０８０が算出される。
【００２３】
次に、画像サイズ算出部１６は、ステップＡ６で取得された横方向画素数：Ｐｘおよび縦方向画素数：Ｐｙと、ステップＡ８およびステップＡ９でそれぞれ算出した切り出す横方向の画像サイズ：ＣＰｘおよび切り出す縦方向の画像サイズ：ＣＰｙとに基づいて、原画増から、画像の中心は変更しない条件で切り出しを開始する切り出し開始位置として、横方向切り出し開始位置：ＴＸと、縦方向切り出し開始位置：ＴＹとを算出する（ステップＡ１０）。横方向切り出し開始位置は、ＴＸ＝（Ｐｘ−ＣＰｘ）／２で、縦方向切り出し開始位置は、ＴＹ＝（Ｐｙ−ＣＰｙ）／２でそれぞれ算出され、ステップＡ６で取得された横方向画素数がＰｘ＝３０７２および縦方向画素数がＰｙ＝２３０４で、ステップＡ８およびステップＡ９でそれぞれ算出した切り出す横方向の画像サイズがＣＰｘ＝１９２０および切り出す縦方向の画像サイズがＣＰｙ＝１０８０である場合には、図５に示すように、横方向切り出し開始位置：ＴＸ＝５７６と、縦方向切り出し開始位置：ＴＹ＝６１２とがそれぞれ算出される。
【００２４】
次に、画像サイズ算出部１６は、ステップＡ８およびステップＡ９でそれぞれ算出した切り出す横方向の画像サイズ：ＣＰｘおよび切り出す縦方向の画像サイズ：ＣＰｙと、ステップＡ１０で算出した切り出し開始位置（横方向切り出し開始位置：ＴＸおよび縦方向切り出し開始位置：ＴＹ）とを画像出力部１７に通知し、画像出力部１７は、原画像から図５に点線αで示す領域、すなわち切り出し開始位置（横方向切り出し開始位置：ＴＸおよび縦方向切り出し開始位置：ＴＹ）から、横方向の画像サイズ：ＣＰｘおよび縦方向の画像サイズ：ＣＰｙを切り出し、切り出した画像をＨＤＭＩケーブル３経由で表示装置２に出力して表示させる。
【００２５】
なお、本実施の形態では、図４に示すように、視聴距離：ＷＬ分離れた表示装置２の位置における撮像画像の横方向サイズ：Ｐｗが、表示装置２の横方向の画面サイズ：Ｗ（ｃｍ）よりも大きくなる場合について説明したが、撮像画像におけるレンズ焦点距離の３５ｍｍカメラ換算値：ｆによっては、Ｐｗ＜Ｗとなってしまい、撮像画像の切り出しを行うことができない場合があり、ユーザの設定によって本実施の形態の切り出し動作を行うか否かを設定できるようにしたり、５５ｍｍ以下、遠距離設定の場合にのみ本実施の形態の切り出し動作を行ったりすると良い。また、マクロ、近距離、ズーム等が設定された状態で撮像されている撮像画像については、ユーザが意図して設定している場合が考えられるため、マクロ、近距離、ズーム等が設定されている場合には、本実施の形態の切り出し動作が行わないようにすると良い。
【００２６】
以上説明したように、本実施の形態によれば、画面情報取得部１４は、ＨＤＭＩケーブル３を介して表示装置２から画面サイズ（Ｗ、Ｈ）を取得し、画像サイズ算出部１６は、取得した画面サイズＨに基づいて最適視聴距離ＷＬを算出すると共に、表示装置２に表示させた際に撮像時と同一の視野となる画像サイズ（ＣＰｘ、ＣＰｙ）を算出し、算出した画像サイズ（ＣＰｘ、ＣＰｙ）に基づいて撮像画像を切り出して表示装置２に出力するように構成することにより、最適視聴距離ＷＬから見ると、撮像時と同一の視野となる画像が表示装置２に表示されることになり、ユーザの操作によってズーム倍率や表示位置の設定を行うことなく、最適視聴距離ＷＬから表示装置に表示された画像を見た場合に、撮像時の視野に合わせた画像を表示させることができるという効果を奏する。
【００２７】
さらに、本実施の形態によれば、画像サイズ算出部１６は、画面サイズにおける縦方向画面サイズＨと、表示装置２がフルハイビジョンであるか否かの判断とに基づいて、最適視聴距離ＷＬを算出すると共に、レンズ焦点距離の３５ｍｍカメラ換算値ｆに基づいて、撮像時の水平画角θｃを算出し、最適視聴距離ＷＬと、撮像時の水平画角θｃとに基づいて、最適視聴距離ＷＬ、離れた位置における撮像画像の横方向サイズＰｗ算出し、画面サイズにおける横方向画面サイズＷと、撮像画像の横方向サイズＰｗとに基づいて、画像切り出し比率ｅを算出し、撮像画像のピクセル数（Ｐｘ、Ｐｙ）と、画像切り出し比率ｅとに基づいて、切り出す画像サイズ（ＣＰｘ、ＣＰｙ）を算出し、表示装置２の画面サイズ（Ｐｘ、Ｐｙ）と、画像サイズ（ＣＰｘ、ＣＰｙ）とに基づいて切り出し開始位置（ＴＸ、ＴＹ）を算出し、算出した画像サイズ（ＣＰｘ、ＣＰｙ）と切り出し開始位置（ＴＸ、ＴＹ）とに基づいて、撮像画像を切り出して表示装置２に出力するように構成することにより、最適視聴距離ＷＬから見ると、撮像時と同一の視野となる画像を表示装置２に表示させることができるという効果を奏する。
【００２８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２９】
【図１】本発明に係る画像表示装置の実施の形態の構成を示すブロック図である。
【図２】本発明に係る画像表示装置の実施の形態の動作を説明するためのフローチャートである。
【図３】図１に示す画像サイズ算出部で行われる撮像画像の水平画角算出動作を説明する説明図である。
【図４】図１に示す画像サイズ算出部で行われる撮像画像の切り出し動作を説明する説明図である。
【図５】図１に示す画像出力部１７による撮像画像の切り出し例を示す説明図である。
【符号の説明】
【００３０】
１  画像表示装置
２  表示装置
３  ＨＤＭＩケーブル
１１  画像取り込み部
１２  記憶部
１３  画像保存装置
１４  画面情報取得部
１５  画像情報取得部
１６  画像サイズ算出部
１７  画像出力部
【図１】
2009103908.tif 000003
【図２】
2009103908.tif 000004
【図３】
2009103908.tif 000005
【図４】
2009103908.tif 000006
【図５】
2009103908.tif 000007